(57)【要約】【課題】  部品点数が少なくて逆転用テンションポストの高さを所定通りに保持する。【解決手段】  先端部に逆転用テンションポスト１５を突設した支持レバー１６の中央部を回転可能に支持する支軸がボルト２８からなり、該ボルト２８の中心軸２８Ａの上部に円柱部２８ａが形成されると共に、該中心軸２８Ａの下部に円柱部２８ａよりも若干大径の雄ねじ部２８ｂが形成され、内径を前記円柱部２８ａの外径と同一または若干大きく設定し高さを円柱部２８ａの高さと同一または若干小さく設定したボス部１６ｂが前記支持レバー１６の中央部に一体形成され、該ボス部１６ｂの中心孔にボルト２８の中心軸２８Ａを挿通することによりそのボス部１６ｂが円柱部２８ａに回転可能に外嵌されており、シャーシ１に一体形成した円筒部１ａのねじ孔に前記雄ねじ部２８ｂを螺合させることにより支持レバー１６の高さｈを調整するようにした。【選択図】        図３
0003103791.tif 000002
【実用新案登録請求の範囲】
【請求項１】
シャーシ上に立設した支軸に支持レバーが回動可能に係合され、前記
支軸の上端に螺合された抜止めナットと該支軸に巻回されて支持レバーを押し上げるばね
とからなる高さ調整具により、その支持レバーの高さを調整し、前記ばねにより支持レバ
ーを支軸回りで一方向に付勢することにより該支持レバーの先端部に突設した逆転用テン
ションポストをキャプスタンの近傍に位置決めしており、逆転再生モードまたは逆転早送
りモードで、支持レバーをばねに抗して所定角度回動させることによりテンションポスト
を磁気テープに押し付けるようにした磁気テープ装置の逆転用テープテンション機構にお
いて、前記高さ調整具及び支軸に代えてボルトが用いられ、該ボルトの中心軸の上部に円
柱部が形成されると共に、該中心軸の下部に円柱部よりも若干大径の雄ねじ部が形成され
、内径を前記円柱部の外径と同一または若干大きく設定し高さを円柱部の高さと同一また
は若干小さく設定したボス部が前記支持レバーの中央部に一体形成され、該ボス部の中心
孔にボルトの中心軸を挿通することによりそのボス部が円柱部に回転可能に外嵌されてお
り、シャーシに一体形成したねじ孔に前記雄ねじ部を螺合させることにより、支持レバー
の高さを調整すると共に、該雄ねじ部とシャーシとの間にロックボンドを塗布することに
よりボルトをシャーシに固定し、支持レバーの基端部に形成した被係合部を回転カムに係
合させると共に、ばねにより支持レバーを中心軸回りで一方向に付勢することにより該支
持レバーの先端部に突設したテンションポストをキャプスタンの近傍に位置決めしている
ことを特徴とする磁気テープ装置の逆転用テープテンション機構。
【請求項２】
シャーシ上に立設した支軸に支持レバーが回動可能に係合され、前記
支軸の上端に螺合された抜止めナットと該支軸に巻回されて支持レバーを押し上げるばね
とからなる高さ調整具により、その支持レバーの高さを調整し、前記ばねにより支持レバ
ーを支軸回りで一方向に付勢することにより該支持レバーの先端部に突設した逆転用テン
ションポストをキャプスタンの近傍に位置決めしており、逆転再生モードまたは逆転早送
りモードで、支持レバーをばねに抗して所定角度回動させることによりテンションポスト
を磁気テープに押し付けるようにした磁気テープ装置の逆転用テープテンション機構にお
いて、前記高さ調整具及び支軸に代えてボルトが用いられ、該ボルトの中心軸の上部に円
柱部が形成されると共に、該中心軸の下部に円柱部よりも若干大径の雄ねじ部が形成され
、内径を前記円柱部の外径と同一または若干大きく設定し高さを円柱部の高さと同一また
は若干小さく設定したボス部が前記支持レバーの中央部に一体形成され、該ボス部に１つ
または２つ以上のスリットを形成することによりそのボス部の内径が拡大可能に形成され
、ボス部の中心孔にボルトの中心軸を挿通することにより該ボス部が円柱部に回転可能に
外嵌されており、シャーシに一体形成したねじ孔に前記雄ねじ部を螺合させることにより
、支持レバーの高さを調整すると共に、該雄ねじ部とシャーシとの間にロックボンドを塗
布することによりボルトをシャーシに固定し、支持レバーの基端部に形成した被係合部を
回転カムに係合させると共に、ばねにより支持レバーを中心軸回りで一方向に付勢するこ
とにより該支持レバーの先端部に突設したテンションポストをキャプスタンの近傍に位置
決めしていることを特徴とする磁気テープ装置の逆転用テープテンション機構。
【請求項３】
シャーシ上に支軸回りで回動可能に配置した支持レバーの基端部に形
成した被係合部を回転カムに係合させると共に、該支持レバーをばねにより一方向に付勢
することにより、その支持レバーの先端部に突設した逆転用テンションポストがキャプス
タンの近傍に位置決めされており、逆転再生モードまたは逆転早送りモードで、支持レバ
ーをばねに抗して所定角度回動させることによりテンションポストを磁気テープに押し付
けるようにした磁気テープ装置の逆転用テープテンション機構において、前記支軸がボル
トからなり、該ボルトの中心軸の上部に円柱部が形成されると共に、該中心軸の下部に円
柱部よりも若干大径の雄ねじ部が形成され、内径を前記円柱部の外径と同一または若干大
きく設定し高さを円柱部の高さと同一または若干小さく設定したボス部が前記支持レバー
の中央部に一体形成され、該ボス部の中心孔にボルトの中心軸を挿通することによりその
ボス部が円柱部に回転可能に外嵌されており、シャーシに一体形成したねじ孔に前記雄ね
じ部を螺合させることにより、支持レバーをシャーシに回転可能に配置すると共に、該支
持レバーの高さを調整するようにしたことを特徴とする磁気テープ装置の逆転用テープテ
ンション機構。
【請求項４】
前記雄ねじ部とシャーシとの間にロックボンドを塗布することにより
ボルトをシャーシに固定するようにしたことを特徴とする請求項３に記載の磁気テープ装
置の逆転用テープテンション機構。
【請求項５】
ボス部に１つまたは２つ以上のスリットを形成することによりそのボ
ス部の内径が拡大可能に形成されていることを特徴とする請求項３または４に記載の磁気
テープ装置の逆転用テープテンション機構。
【考案の詳細な説明】
【技術分野】
【０００１】
本考案は、逆転再生モード及び逆転早送りモードで磁気テープにテンションを付与する
ための磁気テープ装置の逆転用テープテンション機構に関する。
【背景技術】
【０００２】
従来、磁気テープ装置の一例として図１２に示すものがある。これは、シャーシ１上に
設けた供給リール台２及び巻取りリール台３にテープカセットＴをセットし、該テープカ
セットＴから可動テープガイドポスト４により引き出した磁気テープｔをヘッドシリンダ
５に巻き付けると共に、該磁気テープｔを全幅消去ヘッド６、音声消去ヘッド７及び音声
・コントロールヘッド８に接触させ、キャプスタン９に磁気テープｔを介してピンチロー
ラ１０を圧接させるようにしたものであって、再生モードや録画モードでは、正転用テン
ションポスト１１を磁気テープｔに押し付けて、該磁気テープｔにテンションを付与し、
キャプスタン９及び巻取りリール台３を正転ａさせることにより、磁気テープｔを巻取り
リール台３側に巻き取る。なお、１２は固定テープガイドポストである。
【０００３】
前記キャプスタン９の近傍に逆転用テープテンション機構１４が設けられており、これ
は、図１３〜図１５に示すように、逆転用テンションポスト１５を先端部に突設した金属
板製支持レバー１６を有し、該支持レバー１６の中央部に突設した支軸１７がシャーシ１
に固着した円筒状軸受１８に矢印ｃ，ｄ方向に回転可能に挿通されると共に、その支持レ
バー１６の基端部に形成した被係合部１６ａが回転カム１９のカム溝１９ａに係合され、
支持レバー１６をばね２０により一方向に付勢することによりテンションポスト１５がキ
ャプスタン９の近傍に位置決められ、テープカセットＴをセットしたときに該テープカセ
ットＴの蓋部（図示せず）を開放するための合成樹脂製蓋開放部材２１から延びる弾性変
位可能な延長片２１ａのねじ孔２２に高さ調整用ビス２３がねじ込まれており、該ビス２
３の先端をシャーシ１の上面に押し付けて延長片２１ａを支持レバー１６の下面にばね２
０に抗して押し付けることにより、該支持レバー１６の高さｈを調整し、これによって、
テンションポスト１５を所定の高さ位置に保持し、該テンションポスト１５の上下両鍔部
１５ａ，１５ｂ間のガイドロール部１５ｃを磁気テープｔに対向させる。
【０００４】
上記構成において、逆転再生モード及び逆転早送りモードでは、回転カム１９を回転さ
せて支軸１７回りで支持レバー１６を矢印ｃ方向に回転させ、テンションポスト１５を図
１３の実線位置から仮想線位置に移動させて磁気テープｔに押し付けることにより、該磁
気テープｔにテンションを付与し、キャプスタン９及び供給リール台２を逆転ｂさせて、
その磁気テープｔを供給リール台２側に巻き取る。
【０００５】
上記構成によれば、支持レバー１６を所定の高さｈ位置で回転可能とするために、該支
持レバー１６を回転可能に支持する支軸１７とは別個に高さ調整用ビス２３を用いており
、これでは、部品点数が増加して製作費が高くつく。
【０００６】
上記問題点を解消する技術として特許文献１に記載したものがある。これは、図１６に
示すように、シャーシ１上に立設した支軸２５に支持レバー１６が回動可能に係合され、
前記支軸２５の上端に螺合された抜止めナット２６ａと該支軸２５に巻回されて支持レバ
ー１６を押し上げるばね２６ｂとからなる高さ調整具２６により、その支持レバー１６の
高さｈを調整し、前記ばね２６ｂにより支持レバー１６を支軸２５回りで一方向に付勢す
ることにより該支持レバー１６の先端部に突設した逆転用テンションポスト１５をキャプ
スタン９の近傍に位置決めする。
【特許文献１】特開平３ー２９２６６２号公報
【考案の開示】
【考案が解決しようとする課題】
【０００７】
上記構成では、部品点数が少なくなるが、逆転再生モードまたは逆転早送りモードで、
テンションポスト１５を磁気テープｔに押し付けることにより発生する負荷でばね２６ｂ
に抗して該テンションポスト１５が下げられたり傾けられたりしやすく（図１６仮想線参
照）、これでは、逆転用テンションポスト１５の高さが一定せず、該テンションポスト１
５の鍔部１５ａ，１５ｂに磁気テープｔの上下両側縁が接触して損傷されやすいという欠
点がある。
【０００８】
本考案は、上記従来の欠点に鑑み、部品点数が少なくて逆転用テンションポストの高さ
を所定通りに保持することができるようにした磁気テープ装置の逆転用テープテンション
機構を提供することを目的としている。
【課題を解決するための手段】
【０００９】
上記目的を達成するため、請求項１に記載の考案は、シャーシ上に立設した支軸に支持
レバーが回動可能に係合され、前記支軸の上端に螺合された抜止めナットと該支軸に巻回
されて支持レバーを押し上げるばねとからなる高さ調整具により、その支持レバーの高さ
を調整し、前記ばねにより支持レバーを支軸回りで一方向に付勢することにより該支持レ
バーの先端部に突設した逆転用テンションポストをキャプスタンの近傍に位置決めしてお
り、逆転再生モードまたは逆転早送りモードで、支持レバーをばねに抗して所定角度回動
させることによりテンションポストを磁気テープに押し付けるようにした磁気テープ装置
の逆転用テープテンション機構において、前記高さ調整具及び支軸に代えてボルトが用い
られ、該ボルトの中心軸の上部に円柱部が形成されると共に、該中心軸の下部に円柱部よ
りも若干大径の雄ねじ部が形成され、内径を前記円柱部の外径と同一または若干大きく設
定し高さを円柱部の高さと同一または若干小さく設定したボス部が前記支持レバーの中央
部に一体形成され、該ボス部の中心孔にボルトの中心軸を挿通することによりそのボス部
が円柱部に回転可能に外嵌されており、シャーシに一体形成したねじ孔に前記雄ねじ部を
螺合させることにより、支持レバーの高さを調整すると共に、該雄ねじ部とシャーシとの
間にロックボンドを塗布することによりボルトをシャーシに固定し、支持レバーの基端部
に形成した被係合部を回転カムに係合させると共に、ばねにより支持レバーを中心軸回り
で一方向に付勢することにより該支持レバーの先端部に突設したテンションポストをキャ
プスタンの近傍に位置決めしていることを特徴としている。
【００１０】
請求項２に記載の考案は、シャーシ上に立設した支軸に支持レバーが回動可能に係合さ
れ、前記支軸の上端に螺合された抜止めナットと該支軸に巻回されて支持レバーを押し上
げるばねとからなる高さ調整具により、その支持レバーの高さを調整し、前記ばねにより
支持レバーを支軸回りで一方向に付勢することにより該支持レバーの先端部に突設した逆
転用テンションポストをキャプスタンの近傍に位置決めしており、逆転再生モードまたは
逆転早送りモードで、支持レバーをばねに抗して所定角度回動させることによりテンショ
ンポストを磁気テープに押し付けるようにした磁気テープ装置の逆転用テープテンション
機構において、前記高さ調整具及び支軸に代えてボルトが用いられ、該ボルトの中心軸の
上部に円柱部が形成されると共に、該中心軸の下部に円柱部よりも若干大径の雄ねじ部が
形成され、内径を前記円柱部の外径と同一または若干大きく設定し高さを円柱部の高さと
同一または若干小さく設定したボス部が前記支持レバーの中央部に一体形成され、該ボス
部に１つまたは２つ以上のスリットを形成することによりそのボス部の内径が拡大可能に
形成され、ボス部の中心孔にボルトの中心軸を挿通することにより該ボス部が円柱部に回
転可能に外嵌されており、シャーシに一体形成したねじ孔に前記雄ねじ部を螺合させるこ
とにより、支持レバーの高さを調整すると共に、該雄ねじ部とシャーシとの間にロックボ
ンドを塗布することによりボルトをシャーシに固定し、支持レバーの基端部に形成した被
係合部を回転カムに係合させると共に、ばねにより支持レバーを中心軸回りで一方向に付
勢することにより該支持レバーの先端部に突設したテンションポストをキャプスタンの近
傍に位置決めしていることを特徴としている。
【００１１】
請求項３に記載の考案は、シャーシ上に支軸回りで回動可能に配置した支持レバーの基
端部に形成した被係合部を回転カムに係合させると共に、該支持レバーをばねにより一方
向に付勢することにより、その支持レバーの先端部に突設した逆転用テンションポストが
キャプスタンの近傍に位置決めされており、逆転再生モードまたは逆転早送りモードで、
支持レバーをばねに抗して所定角度回動させることによりテンションポストを磁気テープ
に押し付けるようにした磁気テープ装置の逆転用テープテンション機構において、前記支
軸がボルトからなり、該ボルトの中心軸の上部に円柱部が形成されると共に、該中心軸の
下部に円柱部よりも若干大径の雄ねじ部が形成され、内径を前記円柱部の外径と同一また
は若干大きく設定し高さを円柱部の高さと同一または若干小さく設定したボス部が前記支
持レバーの中央部に一体形成され、該ボス部の中心孔にボルトの中心軸を挿通することに
よりそのボス部が円柱部に回転可能に外嵌されており、シャーシに一体形成したねじ孔に
前記雄ねじ部を螺合させることにより、支持レバーをシャーシに回転可能に配置すると共
に、該支持レバーの高さを調整するようにしたことを特徴としている。
【００１２】
請求項４に記載の考案は、請求項３に記載の考案において、前記雄ねじ部とシャーシと
の間にロックボンドを塗布することによりボルトをシャーシに固定するようにしたことを
特徴としている。
【００１３】
請求項５に記載の考案は、請求項３または４に記載の考案において、ボス部に１つまた
は２つ以上のスリットを形成することによりそのボス部の内径が拡大可能に形成されてい
ることを特徴としている。
【考案の効果】
【００１４】
請求項１に記載の考案は実施の一形態（図１〜図７参照）に対応するものであって、こ
れによれば、支持レバーの中央部に一体形成したボス部にボルトの中心軸を挿通して該中
心軸の上部に形成した円柱部をボス部に回転可能に嵌入させた後、そのボルトの下部に形
成した雄ねじ部をシャーシに一体形成したねじ孔に螺合させるだけで、支持レバーをシャ
ーシに回転可能に配置すると共に、該支持レバー介して逆転用テンションポストの高さを
所定通りに調整することができる。
【００１５】
また、前記支持レバーのボス部がボルトの頭部と雄ねじ部とで挟まれて所定の高さ位置
に保持されているので、逆転再生モードまたは逆転早送りモードで、テンションポストを
磁気テープに押し付けることにより発生する負荷で該テンションポストが従来のように下
げられたり傾けられたりせず、そのテンションポストの高さを一定に保持して磁気テープ
が損傷されないようにすることができる。
【００１６】
更に、前記ボルトを例えばへッダー金型で安価に量産することができると共に、該ボル
トが支持レバーの支軸と高さ調整具とに兼用されており、その兼用した分だけ部品点数を
少なくして製作費を安くすることができる。
【００１７】
しかも、ロックボンドでボルトをシャーシに固定しているので、テンションポストを所
定の高さ位置に長期にわたって保持することができる。
【００１８】
請求項２に記載の考案は実施の他の形態（図８〜図１１参照）に対応するものであって
、これによれば、請求項１に記載の考案とほぼ同様の効果を得ることができ、特に、ボス
部の内径を拡大させて、該ボス部にボルトの円柱部を容易に嵌入させることができる。
【００１９】
請求項３に記載の考案によれば、支持レバーの中央部に一体形成したボス部にボルトの
中心軸を挿通して該中心軸の上部に形成した円柱部をボス部に回転可能に嵌入させた後、
そのボルトの下部に形成した雄ねじ部をシャーシに一体形成したねじ孔に螺合させるだけ
で、支持レバーをシャーシ上に回転可能に配置すると共に、該支持レバーを介して逆転用
テンションポストの高さを所定通りに調整することができる。
【００２０】
また、前記支持レバーのボス部がボルトの頭部と雄ねじ部とで挟まれて所定の高さ位置
に保持されているので、逆転再生モードまたは逆転早送りモードで、テンションポストを
磁気テープに押し付けることにより発生する負荷で該テンションポストが従来のように下
げられたり傾けられたりせず、そのテンションポストの高さを一定に保持して磁気テープ
が損傷されないようにすることができる。
【００２１】
更に、前記ボルトを例えばへッダー金型で安価に量産することができると共に、該ボル
トが支持レバーの支軸と高さ調整具とに兼用されており、その兼用した分だけ部品点数を
少なくして製作費を安くすることができる。
【００２２】
請求項４に記載の考案によれば、ロックボンドでボルトをシャーシに固定しているので
、テンションポストを所定の高さ位置に長期にわたって保持することができる。
【００２３】
請求項５に記載の考案によれば、ボス部の内径を拡大させて、該ボス部にボルトの円柱
部を容易に嵌入させることができる。
【考案を実施するための最良の形態】
【００２４】
図１〜図７は本考案の実施の一形態を示すものであって、支持レバー１６を回転可能に
支持する支軸がボルト２８からなり、該ボルト２８の中心軸２８Ａの上部に円柱部２８ａ
が形成されると共に、該中心軸２８Ａの下部に円柱部２８ａの外径ｄ１（例えば２．４ｍ
ｍ）よりも若干大径ｄ２（例えば２．６ｍｍ）の雄ねじ部２８ｂが形成され（ｄ１＜ｄ２
）、内径ｍを前記円柱部２８ａの外径ｄ１と同一または若干大きく設定し高さｎを円柱部
２８ａの高さＮと同一または若干小さく設定したボス部１６ｂが前記支持レバー１６の中
央部に一体形成されており、ボルト２８の中心軸２８Ａをボス部１６ｂの中心孔２９にね
じ込むようにして挿通することにより、そのボス部１６ｂが円柱部２８ａに回転可能に外
嵌されている。この場合、雄ねじ部２８ｂによりボス部１６ｂの内周面にねじ溝が形成さ
れるが、外径ｄ１，ｄ２の差を小さく設定してボス部１６ｂの内面に形成されるねじ溝の
深さを小さくすることにより、円柱部２８ａに対してボス部１６ｂを円滑に回転可能に嵌
合させることができる。
【００２５】
前記シャーシ１に一体形成した円筒部１ａのねじ孔３０に雄ねじ部２８ｂを螺合させる
ことにより支持レバー１６の高さｈを調整し、その雄ねじ部２８ｂと円筒部１ａとの間に
ロックボンド３１を塗布することによりボルト２８をシャーシ１に固定する。上記以外の
構成で図１２〜図１６に示す構成と同一部分に同一符号を付してその説明を省略する。
【００２６】
上記構成によれば、支持レバー１６の中央部に一体形成したボス部１６ｂにボルト２８
の中心軸２８Ａを挿通して該中心軸２８Ａの上部に形成した円柱部２８ａをボス部１６ｂ
に回転可能に嵌入させた後、そのボルト２８の下部に形成した雄ねじ部２８ｂをシャーシ
１に一体形成した円筒部１ａのねじ孔３０に螺合させるだけで、支持レバー１６をシャー
シ１上に回転可能に配置すると共に、該支持レバー１６を介して逆転用テンションポスト
１５の高さを所定通りに調整することができる。
【００２７】
また、前記支持レバー１６のボス部１６ｂがボルト２８の頭部２８Ｂと雄ねじ部２８ｂ
とで挟まれて所定の高さ位置に保持されているので、逆転再生モードまたは逆転早送りモ
ードで、テンションポスト１５を磁気テープｔに押し付けることにより発生する負荷で該
テンションポスト１５が従来のように下げられたり傾けられたりせず（図１６参照）、そ
のテンションポスト１５の高さを一定に保持して、鍔部１５ａ，１５ｂにより磁気テープ
ｔの上下両側縁が損傷されないようにすることができる。
【００２８】
更に、前記ボルト２８を例えばへッダー金型で安価に量産することができると共に、該
ボルト２８が支持レバー１６の支軸と高さ調整具とに兼用されており、その兼用した分だ
け部品点数を少なくして製作費を安くすることができる。
【００２９】
しかも、ロックボンド３１でボルト２８をシャーシ１に固定しているので、テンション
ポスト１５を所定の高さ位置に長期にわたって保持することができる。
【００３０】
図８〜図１１は本考案の実施の他の形態を示すものであって、ボス部１６ｂに１つまた
は２つ以上（この実施の形態では２つ）のスリット３２を形成することによりそのボス部
１６ｂの内径ｍが拡大可能に形成されている。上記以外の構成は実施の一形態（図１〜図
７参照）とほぼ同じであるから、その説明を省略する。
【００３１】
上記構成によれば、実施の一形態（図１〜図７参照）とほぼ同じ効果を得ることができ
、特に、ボス部１６ｂの内径ｍを拡大させて、該ボス部１６ｂにボルト２８の円柱部２８
ａを容易に嵌入させることができる。
【図面の簡単な説明】
【００３２】
【図１】本考案の実施の一形態である逆転用テープテンション機構を備えた磁気テープ装置の平面図である。
【図２】同機構の拡大平面図である。
【図３】図２のＡ−Ａ矢視図である。
【図４】同機構の分解斜視図である。
【図５】同機構の要部の拡大縦断面図である。
【図６】図５のＢ−Ｂ矢視図である。
【図７】図５のＣ−Ｃ矢視図である。
【図８】本考案の実施の他の形態である逆転用テープテンション機構を示す分解斜視図である。
【図９】同機構の要部の拡大縦断面図である。
【図１０】図９のＤ−Ｄ矢視図である。
【図１１】図９のＥ−Ｅ矢視図である。
【図１２】従来の一例を示す平面図である。
【図１３】同逆転用テープテンション機構の拡大平面図である。
【図１４】図１３のＦ−Ｆ矢視図である。
【図１５】同機構の要部の拡大縦断面図である。
【図１６】従来の他の例を示す側面図である。
【符号の説明】
【００３３】
１        シャーシ
９        キャプスタン
１４      逆転用テープテンション機構
１５      逆転用テンションポスト
１６      支持レバー
１６ａ    被係合部
１６ｂ    ボス部
２０      ばね
２５      支軸
２６      高さ調整具
２６ａ    抜止めナット
２６ｂ    ばね
２８      ボルト
２８Ａ    ボルトの中心軸
２８ａ    円柱部
２８ｂ    雄ねじ部
２９      ボス部の中心孔
３０      ねじ孔
３１      ロックボンド
３２      スリット
ｄ１      円柱部の外径
ｄ２      雄ねじ部の外径
ｍ        ボス部の内径
ｎ        ボス部の高さ
Ｎ        円柱部の高さ
ｔ        磁気テープ
【図１】
0003103791.tif 000003
【図２】
0003103791.tif 000004
【図３】
0003103791.tif 000005
【図４】
0003103791.tif 000006
【図５】
0003103791.tif 000007
【図６】
0003103791.tif 000008
【図７】
0003103791.tif 000009
【図８】
0003103791.tif 000010
【図９】
0003103791.tif 000011
【図１０】
0003103791.tif 000012
【図１１】
0003103791.tif 000013
【図１２】
0003103791.tif 000014
【図１３】
0003103791.tif 000015
【図１４】
0003103791.tif 000016
【図１５】
0003103791.tif 000017
【図１６】
0003103791.tif 000018